(57)【要約】【課題】操作を煩雑にすることなく、画像データの記録形式に関する機能設定を行うことが可能な撮像装置を提供する。【解決手段】撮像装置１は、ダイレクトキー１３と、撮像により得られた画像データの記録形式に関する機能設定を行うために使用される。記録形式は、メニューキー（操作キー）１１を２回以上操作することによって、ＪＰＥＧ形式とＲＡＷ形式の少なくとも一方に設定される。ダイレクトキー１３を１回押下すると、画像データを圧縮ファイル形式とＲＡＷ形式の両方で記録する。記録の後、自動的に、記録形式はダイレクトキー１３が押下される前の記録形式に戻される。【選択図】図２
2011205661.tif 000002
【特許請求の範囲】
【請求項１】
ダイレクトキーと、撮像により得られた画像データを圧縮ファイル形式とＲＡＷ形式の少なくとも一方の記録形式で記録するよう設定するために２回以上操作される操作キーとを有する操作部と、
前記操作キーの操作に対応して前記画像データの記録形式の設定を行う制御部とを備え、
前記制御部は、前記ダイレクトキーの１回の押下に対応して、前記画像データを圧縮ファイル形式とＲＡＷ形式の両方で記録するよう設定し、単一撮影モードのときは、レリーズボタンの１回の全押しに対して圧縮ファイル形式とＲＡＷ形式の両方で記録した後、前記ダイレクトキーが押下される前の記録形式に戻し、連続撮影モードのときは、レリーズボタンが全押しされている間継続して圧縮ファイル形式とＲＡＷ形式の両方で記録した後、前記ダイレクトキーが押下される前の記録形式に戻すことを特徴とする撮像装置。
【請求項２】
前記制御部は、前記ダイレクトキーの１回の押下に対応して、前記画像データを圧縮ファイル形式とＲＡＷ形式の両方で記録するよう設定した後、レリーズボタンが全押しされる前に、前記ダイレクトキーが再度押下されると、前記画像データの記録形式を前記ダイレクトキーが最初に押下される前の記録形式に戻すことを特徴とする請求項１に記載の撮像装置。
【請求項３】
前記制御部は、前記ダイレクトキーの１回の押下に対応して、前記画像データを圧縮ファイル形式とＲＡＷ形式の両方で記録するよう設定した後、レリーズボタンが全押しされる前に、前記撮像装置の電源がオフ状態にされて再度電源がオン状態にされると、前記画像データの記録形式を前記ダイレクトキーが最初に押下される前の記録形式に戻すことを特徴とする請求項１に記載の撮像装置。
【請求項４】
前記ダイレクトキーの押下により設定された後の状態を表示する表示部を更に備え、記録形式が圧縮ファイル形式とＲＡＷ形式の両方で記録するよう設定されると、前記表示部は撮像装置の記録部の空き容量に基づいて、両形式による残り記録可能枚数を表示することを特徴とする請求項１に記載の撮像装置。
【請求項５】
前記ダイレクトキーは、前記撮像装置の前面で且つ、前記前面から見てレンズを取り付けるための突出部の右側面に配置されることを特徴とする請求項１に記載の撮像装置。
【請求項６】
前記ダイレクトキーの押下に対応して設定される前記画像データの記録形式が、前記操作キーを操作することにより変更可能であることを特徴とする請求項１に記載の撮像装置。
【発明の詳細な説明】
【技術分野】
【０００１】
本発明は、撮像装置に関し、特に機能設定を簡単に行える撮像装置に関する。
【背景技術】
【０００２】
従来、特許文献１のように、メニューキーなどを使って撮像により得られた画像データの画像処理や記録に関する機能設定を行う撮像装置が提案されている。
【先行技術文献】
【特許文献】
【０００３】
【特許文献１】特開２００６−１８６６０７号公報
【発明の概要】
【発明が解決しようとする課題】
【０００４】
しかし、特許文献１の装置において、機能設定は、メニューキーなどを複数回操作することにより行われるため、操作が煩雑である。
【０００５】
本発明の目的は、操作を煩雑にすることなく、画像データの記録形式に関する機能設定を行うことが可能な撮像装置を提供することである。
【課題を解決するための手段】
【０００６】
本発明に係る撮像装置は、ダイレクトキーと、撮像により得られた画像データを圧縮ファイル形式とＲＡＷ形式の少なくとも一方の記録形式で記録するよう設定するために２回以上操作される操作キーとを有する操作部と、操作キーの操作に対応して画像データの記録形式の設定を行う制御部とを備え、制御部は、ダイレクトキーの１回の押下に対応して、画像データを圧縮ファイル形式とＲＡＷ形式の両方で記録し、単一撮影モードのときは、レリーズボタンの１回の全押しに対して圧縮ファイル形式とＲＡＷ形式の両方で記録した後、ダイレクトキーが押下される前の記録形式に戻し、連続撮影モードのときは、レリーズボタンが全押しされている間継続して圧縮ファイル形式とＲＡＷ形式の両方で記録した後、ダイレクトキーが押下される前の記録形式に戻すことを特徴としている。
【０００７】
制御部は、ダイレクトキーの１回の押下に対応して、画像データを圧縮ファイル形式とＲＡＷ形式の両方で記録するよう設定した後、レリーズボタンが全押しされる前に、ダイレクトキーが再度押下されると、画像データの記録形式をダイレクトキーが最初に押下される前の記録形式に戻すように構成されてもよい。
【０００８】
また制御部は、ダイレクトキーの１回の押下に対応して、画像データを圧縮ファイル形式とＲＡＷ形式の両方で記録するよう設定した後、レリーズボタンが全押しされる前に、撮像装置の電源がオフ状態にされて再度電源がオン状態にされると、画像データの記録形式をダイレクトキーが最初に押下される前の記録形式に戻すように構成されてもよい。
【０００９】
好ましくは、撮像装置はダイレクトキーの押下により設定された後の状態を表示する表示部を更に備え、記録形式が圧縮ファイル形式とＲＡＷ形式の両方で記録するよう設定されると、表示部は撮像装置の記録部の空き容量に基づいて、両形式による残り記録可能枚数を表示する。
【００１０】
また好ましくは、ダイレクトキーは、撮像装置の前面で且つ、前面から見てレンズを取り付けるための突出部の右側面に配置される。
【００１１】
さらに、ダイレクトキーの押下に対応して設定される画像データの記録形式が、操作キーを操作することにより変更可能であることが好ましい。
【発明の効果】
【００１２】
本発明によれば、操作を煩雑にすることなく、画像データの記録形式に関する機能設定を行うことが可能な撮像装置を提供することができる。
【図面の簡単な説明】
【００１３】
【図１】本実施形態における撮像装置の構成図である。
【図２】撮像装置の正面側から見た斜視図である。
【図３】撮像装置の背面側から見た斜視図である。
【図４】ダイレクトキーが押下される前の第２表示部における表示内容を示す図である。
【図５】ダイレクトキーが押下される前の光学ファインダ内の露光条件表示領域における表示内容を示す図である。
【図６】ダイレクトキーが押下された後の第２表示部における表示内容を示す図である。
【図７】ダイレクトキーが押下された後の光学ファインダ内の露光条件表示領域における表示内容を示す図である。
【図８】ダイレクトキーが押下されて記録形式が変更される流れを示すフローチャートである。
【発明を実施するための形態】
【００１４】
以下、本実施形態について、図を用いて説明する。撮像装置１は、デジタルカメラである。
【００１５】
撮像装置１の撮像に関する部分は、操作部１０、制御部３０、撮影部５０、記録部７０、及び表示部９０を備える（図１参照）。操作部１０は、メニューキー１１、方向及び決定キー１２、ダイレクトキー１３、及びレリーズボタン１４を有する（図１〜図３参照）。撮影部５０は、絞りを含むレンズ５１、シャッタ５２、及びＣＣＤなどの撮像素子５３を有する。情報表示部９０は、光学ファインダ９１、及び第１、第２表示部９２ａ、９２ｂを有する。
【００１６】
被写体像は、レンズ５１を介した光学像として、撮像素子５３で撮像される。撮像された画像は、第１表示部９２ａに表示され、撮像された画像のデータは記録部７０に記録される。撮像時の露光条件（シャッタ速度、絞り値、撮像素子５３の露光感度）は、使用者による操作部１０の設定と、使用者による設定状態に基づく制御部３０の演算との少なくとも一方によって決定される。
【００１７】
使用者が操作キーとしてのメニューキー１１や方向及び決定キー１２を操作することにより、撮像により得られた画像データの画像処理または記録に関連する機能設定が行われる。具体的には、画像データの記録形式（ＪＰＥＧ、ＴＩＦＦ、及びＲＡＷ）、記録サイズ（記録画素数）、画像データを記録部７０に記録する際の圧縮率、撮像素子５３の露光感度、シャープネス、コントラストなどが使用者の操作によって設定される。
【００１８】
メニューキー１１や方向及び決定キー１２を操作することによる機能設定は、これらのキーを２回以上操作する必要がある。
【００１９】
また、使用者がメニューキー１１や方向及び決定キー１２を操作することにより、後述するダイレクトキー１３を押下することにより機能設定された状態の解除方法が設定される。具体的には、ダイレクトキー１３を一度押下することにより、記録形式がＲＡＷ形式とＪＰＥＧ形式の両方で記録されるように設定されるが、この記録形式が１回の撮像動作で解除されて設定前の記録形式に戻される第１パターンと、再度ダイレクトキー１３が押下されるまで設定前の記録形式に戻されない第２パターンとのいずれかが設定される。
【００２０】
ダイレクトキー１３は、撮像装置１を保持した状態で左手親指などによって押下できるように、撮像装置１の前面で且つ前面から見てレンズ５１を取り付けるための突出部（レンズマウント部）の右側面に配置される。ダイレクトキー１３の１回の押下により、メニューキー１１や方向及び決定キー１２を操作することによる機能設定が行われた状態（画像データの記録方式が設定された状態）に関わらず、画像データがＲＡＷ形式とＪＰＥＧ形式（他の圧縮ファイル形式でもよい）の両方で記録されるように撮像装置１の機能設定が行われる。すなわち、ダイレクトキー１３が押下されると、ダイレクトキー１３が押下される前に予めメニューキー１１や方向及び決定キー１２を操作することにより設定された画像データの記録方式に関わらず、画像データの記録方式がＲＡＷ形式とＪＰＥＧ形式の両方に機能設定される。
【００２１】
ダイレクトキー１３により機能設定（記録形式の設定）された撮像装置１の状態は、第１パターンが設定されている場合は、レリーズボタン１４の全押しによる撮像が行われる前にダイレクトキー１３が再度押下されるか、レリーズボタン１４の全押しによる撮像が１回行われるか、撮像装置１の電源がオフ状態にされて再度電源がオン状態にされると、ダイレクトキー１３の押下により機能設定される前の状態（記録形式）に戻され、第２パターンが設定されている場合は、ダイレクトキー１３が再度押下されるか、撮像装置１の電源がオフ状態にされて再度電源がオン状態にされると、ダイレクトキー１３の押下により機能設定される前の状態（記録形式）に戻される。
【００２２】
これにより、特定の記録形式への変更操作が、ダイレクトキー１３を押下する操作だけで行えるため、メニューキー１１や方向及び決定キー１２を操作することにより記録形式を変更する操作に比べて簡単且つ迅速に行える。特に、ＲＡＷ形式は、撮像素子５３の各画素信号を圧縮処理せずに記録する形式なので、圧縮ファイル形式であるＪＰＥＧ形式に比べてファイルサイズが大きいため、記録形式の変更操作の解除（設定前の状態に戻すこと）を忘れた場合、記録部７０の記録容量を不必要に消費することになるが、本実施形態では、第１パターンに設定されている場合は１回の撮像動作で設定前の記録形式に戻すことが出来るため、このような問題は生じない。
【００２３】
被写体像の、レンズ５１を介した光学像は、光学ファインダ９１によって光学的に観察可能である。
【００２４】
レリーズボタン１４は、半押しすることにより測光スイッチ（不図示）がオン状態にされＡＥセンサ（不図示）による測光やＡＦセンサ（不図示）による測距及び合焦動作が行われる。
【００２５】
レリーズボタン１４は、全押しすることによりレリーズスイッチ（不図示）がオン状態にされ撮像が行われる。撮像により得られた画像データに対応する画像は、第１表示部９２ａに表示され、画像データは記録部７０に記録される。
【００２６】
制御部３０は、撮像に関する各部の制御、特に、操作部１０の操作に対応して、撮像により得られた画像データの画像処理または記録に関連する機能設定を行う。また、制御部３０に接続された（又は内蔵された）ＲＯＭなどのメモリに、ダイレクトキー１３の押下により行われる機能設定の内容（記録形式がＲＡＷ形式とＪＰＥＧ形式の両方で行われること）が記録される。
【００２７】
光学ファインダ９１は、使用者の一方の目でのぞき込んで被写体像のレンズ５１を介した光学像や、使用者が設定するか測光により算出された露光条件を観察するファインダである。光学ファインダ９１は、光学像を表示する領域（不図示）と、シャッタ速度などの露光条件を表示する露光条件表示領域９１ａを有する（図５、図７参照）。露光条件表示領域９１ａは、記録可能枚数を示す第１枚数表示領域９１ａ１、シャッタ速度を示す第１シャッタ速度表示領域９１ａ２、及び絞り値を示す第１絞り値表示領域９１ａ３を有する。
【００２８】
第１表示部９２ａは、撮像装置１の背面に配置された表示装置で、撮像により得られた画像を表示する他、記録形式など機能設定に関する情報表示を行う。情報表示を見ながら使用者はメニューキー１１や方向及び決定キー１２を操作することにより、撮像装置１の機能設定を行うことが可能になる。
【００２９】
第２表示部９２ｂは、撮像装置１の上面に配置された表示装置で、露光条件やホワイトバランスなどの画像処理や記録に関する機能設定状態を表示する。第２表示部９２ｂは、記録可能枚数を示す第２枚数表示領域９２ｂ１、シャッタ速度を示す第２シャッタ速度表示領域９２ｂ２、及び絞り値を示す第２絞り値表示領域９２ｂ３を有する（図４、図６参照）。
【００３０】
ダイレクトキー１３が押下された場合など、記録形式がＲＡＷとＪＰＥＧに設定されると、第１枚数表示領域９１ａ１、第２枚数表示領域９２ｂ１は、記録部７０の空き容量に基づく残り記録可能枚数と、記録形式がＲＡＷ形式とＪＰＥＧ形式の両方であることを示すＲＡＷ＋マーク（ＲＡＷマークは白抜き四角で囲まれる）とを表示する（図６、図７参照）。
【００３１】
記録形式がＲＡＷ形式に設定されると、第１枚数表示領域９１ａ１、第２枚数表示領域９２ｂ１は、記録部７０の空き容量に基づく残り記録可能枚数と、記録形式がＲＡＷであることを示すＲＡＷマーク（ＲＡＷマークは白抜き四角で囲まれる）とを表示する（不図示）。
【００３２】
記録形式がＪＰＥＧ形式またはＴＩＦＦ形式に設定されると、第１枚数表示領域９１ａ１、第２枚数表示領域９２ｂ１は、記録部７０の空き容量に基づく残り記録可能枚数を表示する（図４、図５参照）。
【００３３】
これにより、ダイレクトキー１３の押下により設定される後の状態が第１枚数表示領域９１ａ１、第２枚数表示領域９２ｂ１に表示されるので、ファイルサイズが大きく、残り記録可能枚数を確認する必要性がＪＰＥＧなどに比べて高いＲＡＷ形式を記録形式として選択した場合に、記録形式と記録可能枚数とを視覚的に認識することが可能になる。
【００３４】
次に、ダイレクトキー１３が押下されて記録形式が変更される流れを図８のフローチャートを用いて説明する。
【００３５】
ステップＳ１１の撮像待機状態から説明を始める。撮像待機状態とは、撮像装置１の電源がオン状態にされ、撮像動作が可能な状態にされていることをいう。ステップＳ１２で、ダイレクトキー１３が押下されると、ステップＳ１３で、制御部３０により撮像装置１の画像データの記録形式が、ダイレクトキー１３が押下される前に予めメニューキー１１や方向及び決定キー１２を操作することにより設定された画像データの記録方式に関わらず、ＲＡＷ形式とＪＰＥＧ形式の両方で記録するように、機能設定が行われる。
【００３６】
ステップＳ１４で、ダイレクトキー１３が再度押下されたか否かが判断される。された場合は、ステップＳ１１に戻され、されていない場合はステップＳ１５に進められる。
【００３７】
ステップＳ１５で、レリーズボタン１４が全押しされると、ステップＳ１６で、撮像動作が行われ、画像処理され、画像処理された画像が第１表示部９２ａに表示され、ＲＡＷ形式とＪＰＥＧ形式の２つの画像データファイルが記録部７０に記録される。撮像装置１が連続撮影モードに設定されている場合は、レリーズボタン１４が全押しされている間、ステップＳ１６の撮像動作が繰り返し行われる。
【００３８】
ステップＳ１７で、撮像装置１が第１パターンに設定されているか否かが判断される。設定されている場合はステップＳ１９に進められ、設定されていない場合はステップＳ１８に進められる。
【００３９】
ステップＳ１８で、ダイレクトキー１３が押下されたか否かが判断される。押下された場合はステップＳ１９に進められ、押下されていない場合はステップＳ１５に戻される。
【００４０】
ステップＳ１９で、記録形式がステップＳ１２でダイレクトキー１３が押下される前（設定前）の状態に戻される。
【００４１】
咄嗟に撮影状況変化や使用者の作画意図変化が起きた場合、使用者が撮影後に任意に加工可能なＲＡＷ形式による記録形式と撮像後に迅速に再生可能な記録形式（ＪＰＥＧ形式など）の両者が好ましいと考え、本実施形態では、ダイレクトキー１３の押下により記録形式がＲＡＷ形式とＪＰＥＧ形式の両方で記録するように機能設定される形態を説明したが、他の形式（例えばＲＡＷ形式だけ）であってもよい。また、ダイレクトキー１３による押下によって変更（機能設定）されるのが、他の機能設定項目であってもよい。例えば、携帯電話にメール送信するために、ファイル形式や画素数などを送信先の携帯電話の仕様に合わせた機能設定や、特定のホワイトバランスゲインを使ったホワイトバランス調整などが挙げられる。
【００４２】
また、ダイレクトキー１３の押下により行われる機能設定の内容は、予め用意した機能設定の内容（記録形式をＲＡＷ形式などに変更すること）に限らず、使用者がメニューキー１１や、方向及び決定キー１２などを操作することにより、他の機能設定に変更可能であってもよい。この場合、制御部３０に接続された（又は内蔵された）ＲＡＭなどのメモリに、ダイレクトキー１３の押下により行われる機能設定の内容が記録され、他の機能設定に変更されると、機能設定の内容が書き換えられる。
【符号の説明】
【００４３】
１  撮像装置
１０  操作部
１１  メニューキー
１２  方向及び決定キー
１３  ダイレクトキー
１４  レリーズボタン
３０  制御部
７０  記録部
９０  表示部
【図１】
2011205661.tif 000003
【図２】
2011205661.tif 000004
【図３】
2011205661.tif 000005
【図４】
2011205661.tif 000006
【図５】
2011205661.tif 000007
【図６】
2011205661.tif 000008
【図７】
2011205661.tif 000009
【図８】
2011205661.tif 000010